(57)【特許請求の範囲】
【請求項１】
硬質の筒状第１部材の内孔に形成した内方突起を、軟質の第２部材を第１部材の内孔に挿入することによって、第２部材の外側変形肉部に当接、変形させて外側変形肉部に変形嵌合凹部を形成しつつ、内方突起の圧接移動方向を前記挿入方向に対して変更することによって、内方突起が挿入してきた側に抜ける障害となるアンダーカット部を形成して第１部材と第２部材とを嵌着する筆記具用部材の嵌着構造。
【請求項２】
軟質の筒状第１部材に環状の内方顎部を形成し、硬質の第２部材を第１部材の内向に挿入することによって、内方顎部に第２部材の外壁に形成した外方突起を当接、変形させて内方顎部に変形嵌合凹部を形成しつつ、外方突起の圧接移動方向を前記挿入方向に対して変更することによって外方突起が挿入してきた側に抜ける障害となるアンダーカット部を形成して第１部材と第２部材とを嵌着する筆記具用部材の嵌着構造。
【請求項３】
前記筒状第１部材がペン先を有する筆記具本体に被嵌可能なキャップ体であることを特徴とする請求項１又は２のいずれかに記載の筆記具用部材の嵌着構造。
【請求項４】
前記第２部材がペン先を直接被嵌可能なキャップ部材であることを特徴とする請求項１乃至３のいずれかに記載の筆記具用部材の嵌着構造。
【請求項５】
前記筒状の第１部材がインキ又はインキ吸蔵体を収容する軸筒であることを特徴とする請求項１又は２に記載の筆記具用部材の嵌着構造。
【請求項６】
前記第２部材が軸筒先端にペン先を接続するペン先ホルダーであることを特徴とする請求項５に記載の筆記具用部材の嵌着構造。
【請求項７】
前記第２部材が軸筒後端に嵌着される尾栓であることを特徴とする請求項５に記載の筆記具用部材の嵌着構造。
【請求項８】
前記第１部材が、互いに接続されて軸筒を構成する前軸または後軸のいずれか一方であり、前記第２部材が、前軸又は後軸の他方であることを特徴とした請求項２記載の筆記具用部材の嵌着構造。
【発明の詳細な説明】
【０００１】
【発明の属する技術分野】
本発明は、ボールペン、繊維ペン、合成樹脂ペン等の筆記具のペン先を被覆し、保護したり、ペン先からのインキ蒸発を抑制する筆記具のキャップや、インキ等を収容する軸筒、ペン先を保持するペン先ホルダー、軸筒の後端を閉塞する尾栓等の筆記具用の部材同志の嵌着構造に関する。
【０００２】
【従来の技術】
従来、筆記具の部品を構成する材質として、ポリエチレン、アクリロスチレン、ポリエチレンテレフタレートなどの合成樹脂の成形品としたり、ステンレス、洋白などの金属材料や木製とするものなどが知られている。これら各材料は、その部材の目的に応じて、材質を選択されるものであるが、特にその材料の硬度は組み立てる際の重要な選択要件となる。また、これら部材同志を嵌着する構造として、環状又は部分的な突起を乗り越えさせたり、凹凸を嵌めあわせて固定する方法や、螺合に代表されるような一方の部材の溝に突部を挿入して回転させて固定する構造などが知られている。
【０００３】
【発明が解決しようとする課題】
嵌着する組み合わせにおいて、嵌着される部材が相対的に硬度が異なることがある。例えば、実開平１−１６９３８５号公報に開示されているような外キャップと内キャップとからなるキャップである場合、外キャップは衝撃等から内側を保護するために比較的硬質の材質が採用され、内キャップは筆記具本体と液密、気密に当接する必要があり比較的軟らかい材質が採用されるという場合であり、また、実開平６−７１１６４公報に開示されているような、軸筒の後端内孔に挿入する様にしてインキ収容部分を閉塞する尾栓を嵌着する場合、尾栓の圧入力によって軸筒の外形が変化しないように軸筒に比較的硬い材質を採用しとし、これに対して液密、気密性を確保するために尾栓に比較的軟らかい材質を採用することになる場合である。
しかしながら、どちらか一方が硬い部材を用い突起を乗り越えさせる方法では、乗り越え時に硬い部材の突部により柔らかい部材の突起を変形して潰してしまい、確実な固定が得られないという問題があった。また、螺合では、案内部分となる溝の形成位置に他方の部材の突部を位置あわせする必要があるため組立が煩雑になり面倒であるという問題があった。
【０００４】
【課題を解決するための手段】
即ち、本発明は、硬質の筒状第１部材の内孔に形成した内方突起を、軟質の第２部材を第１部材の内孔に挿入することによって、第２部材の外側変形肉部に当接、変形させて外側変形肉部に変形嵌合凹部を形成しつつ、内方突起の圧接移動方向を前記挿入方向に対して変更することによって、内方突起が挿入してきた側に抜ける障害となるアンダーカット部を形成して第１部材と第２部材とを嵌着する筆記具用部材の嵌着構造を第１の要旨とし、軟質の筒状第１部材に環状の内方顎部を形成し、硬質の第２部材を第１部材の内向に挿入することによって、内方顎部に第２部材の外壁に形成した外方突起を当接、変形させて内方顎部に変形嵌合凹部を形成しつつ、外方突起の圧接移動方向を前記挿入方向に対して変更することによって外方突起が挿入してきた側に抜ける障害となるアンダーカット部を形成して第１部材と第２部材とを嵌着する筆記具用部材の嵌着構造を第２の要旨とする。
【０００５】
【実施例】
以下、図面に基づき一例について説明する。
図１〜図４に一例を示す。別部材である外キャップ１とペン先（図示せず）を密封する内キャップ２とからなる筆記具のキャップを示した一例である。比較的硬質の外キャップ１は、ポリエチレンテレフタレート樹脂の射出成形品からなり、Ｉ部拡大図である図２にも示すように、貫通孔３の頭頂開口部４に３個の内方突起５を有している。また、外キャップ１は外壁にクリップ６を一体に有しており、このクリップ６の先端部分は、筆記具本体（図示せず）に装着した際にこの筆記具本体の把持部にまで延在し、クリップ６の先端部分には、ポケットの縁などの挟むものを係止するための玉部７が筆記具本体の把持部に対峙して位置するようにしてある。更に、外キャップ１の内壁は、内キャップ２のペン先挿入口１１と外キャップ１のペン先挿入口との間に環状凸部８を有し、ペン先挿入時、ペン先が上記環状凸部８に乗り上がることによって、内キャップ２のペン先挿入口１１にペン先が衝突しないようになしてある。
【０００６】
外キャップ１と内キャップ２との嵌着前の状態の内キャップ２のみを示す断面図である図３に示すように、比較的軟質の内キャップ２は、ポリプロピレン樹脂の射出成形品からなり、外キャップ１の頭頂開口部４に対応する頭部９には上記内方突起５の径よりも大径の外側変形肉部１０を有している。
【０００７】
上記外側変形肉部１０の後部側は段１２を介して外径が太くなっており、外キャップ１と内キャップ２の取り付け位置を規定する。内キャップ２を外キャップ１の頭頂部開口４に挿入した時、まず内キャップ２の外側変形肉部１０は、外キャップ１の内方突起５に当接する。更に挿入を進めると内キャップ２の外径が太くなる段１２に突き当たる位置まで挿入され、比較的軟質材からなる内キャップ２の外側変形肉部１０は、比較的硬質材からなる外キャップ１の内方突起５に押し潰され変形し、変形嵌合凹部１３が形成される。この後に、内キャップ２を径方向に回転させ嵌着を完了する。図４に嵌着完了後に内キャップ２を外キャップ１より取り外した状態の内キャップ２の外観図を示す。上述のように、外キャップ１の内方突起５により内キャップ２の外側変形肉部１０を押し潰して行き、内キャップ２の外側変形肉部１０にＬ字型の変形嵌合凹部１３を形成することによって、外キャップ１の抜ける方向に対するアンダーカット部１４を形成し、外キャップ１と内キャップ２の固定関係を形成するものである。
【０００８】
ここで、アンダーカット部１４を形成する変形嵌合凹部１２は、１つのアンダーカット部を有するＬ字型のみではなく、例えば内キャップ２を回転させた後に更に内キャップ２を挿入可能として、内方突起５により外側変形肉部１０を潰していき、複数のアンダーカット部を有する屈曲状の変形嵌合凹部とすることもできる。
【０００９】
図５〜図７に別の一例を示す。別部材である外キャップと内キャップとからなる筆記具のキャップの一例とした点は上述の例と同様である。異なる点は、外キャップ１０２を比較的軟質のポリプロピレン樹脂の射出成形品とし、内キャップ１０１を比較的硬質のポリエチレンテレフタレートの射出成形品とした点である。
【００１０】
外キャップ１０２の部材を示す断面図である図６及び内キャップ１０１の部材を示す断面図である図７に示すように、外キャップ１０２の貫通孔１０３の頭頂開口部１０４に環状の内方顎部１０７を形成し、これに対して内キャップ１０１の、外キャップの内方顎部１０７に対応する頭部外壁に外方突起１０５を形成する。この外方突起１０５の後部は、段１０８を介して外径が太くなっており、外キャップ１０２の内方顎部１０７と当接して外キャップ１０２と内キャップ１０１の固定位置を規定する。
【００１１】
両部材の組み立て時、内キャップ１０１を外キャップ１０２の頭頂部と反対側のペン先挿入口１１１より挿入するが、内キャップ１０１の外方突起１０５は、外キャップ１０２の環状の内方顎部１０７に当接する。更に挿入を進めると、外方突起１０５が内方顎部１０７を押し潰して、内方顎部１０７に変形嵌合凹部１０９を形成する。内キャップ１０１は、外径が太くなる段に外キャップ１０２が突き当たる位置で挿入が止まり、この後に、内キャップ１０１を径方向に回転させることによって、外方突起１０５により内方顎部１０７にＬ字型の変形嵌合凹部１０９を形成し、内キャップ１０１が抜ける方向のアンダーカット部１１０を形成して外キャップ１０２と内キャップ１０１の固定関係を形成する。
【００１２】
図８及び図９に更に他の一例を示す。
キャップ本体２０２にペン先太さやインキ色を表示するなどの目的で頭冠２０１を取り付けたものの一例である。頭冠２０１は、比較的硬質のアクリロニトリルブチルスチレン樹脂の射出成形品からなり、キャップ本体２０２の貫通孔２０３内に位置する後端部外壁に縮径部２１２を有し、この縮径部２１２は４個の外方突起２０５を有している。キャップ本体２０２は比較的軟質のポリプロピレン樹脂の射出成形品からなり、貫通孔２０３の頭頂開口部２０４の内壁には環状の内方顎部２０７を位置させ、頭冠２０１の縮径部２１２による段部２１３に当接して固定位置を規定する段２０８を有する拡径部２１４を有している。
【００１３】
組み立てる状態を説明する図９煮示すように、頭冠２０１をキャップ本体２０２の頭部側よりキャップ本体２０２に挿入する時、頭冠２０１は、キャップ内径が太くなる段２０８と頭冠先端外径が太くなる段部２１３が突き当たる位置まで挿入される。この時、キャップ本体２０２の環状の内方顎部２０７は、頭冠の外方突起２０５によって、一部押し潰され、変形嵌合凹部２０９を形成する。この後に、頭冠２０１を径方向に回転させることにより、内方顎部２０７には外方突部２０５により回転方向に変形され、結果、Ｌ字型の変形凹部２０９が形成され、頭冠２０１が抜けようとする方向に対するアンダーカット部２１０を形成し、キャップ本体２０２と頭冠２０１の固定関係を形成する。ここで、図示はしないが頭冠２０１の天頂面２１５に非円形の溝や凸部を形成し、ドライバーなどの別治具にて回転させやすくすることもできる。
【００１４】
図１０及び図１１更に他の一例を示す。
インキを収容する軸筒３０１にペン先ホルダー３０２及び尾栓４０２を取り付けた筆記具本体の一例である。軸筒３０１は、比較的硬質のアクリロニトリルスチレン樹脂の射出成形品からなり、内孔３０３の開口部先端３０４に３個の内方突起３０５を有している。これに対して、ペン先ホルダー３０２は比較的軟質のポリプロピレン樹脂の射出成形品からなり、軸筒３０１の内孔３０３に挿入される後端部には上記内方突起３０５の形成する内接円よりも大径の外側変形肉部３０７を有している。この外側変形肉部３０７よりもペン先３１６側には拡径部が形成されており、軸筒３０１の開口部先端３０４と当接して嵌着位置を規定する。
【００１５】
ペン先ホルダー３０２を軸筒３０１に挿入する時、まずペン先ホルダー３０２は、軸筒３０１の開口部先端３０４とペン先ホルダー３０２の大径部の段３０８が突き当たる位置まで挿入される。この時、ペン先ホルダー３０２の外側変形肉部３０７は、軸筒３０１の内方突起３０５によって一部押し潰され、変形し、変形嵌合凹部３０９を形成する。続いて、ペン先ホルダー３０２を径方向に回転させ、外側変形肉部３０７にＬ字型の変形嵌合凹部３０９を形成し、ペン先ホルダー３０２の抜ける方向に対するアンダーカット部３１０を形成し、軸筒３０１とペン先ホルダー３０２の固定関係を形成する。
【００１６】
また、軸筒３０１は、内孔３０３の後端開口部４０４に５個の内方突起４０５を有している。この内方突起４０５よりもペン先側には段４０８を介して縮径部４１２が形成されており、この段４０８に尾栓４０２の先端面が当接して嵌着の位置を規定する。これに対して尾栓４０２は、比較的軟質のポリエチレン樹脂の射出成形品からなり、軸筒４０１の内孔４０３に挿入される先端部には上記内方突起４０５の形成する内接円よりも大径の外側変形肉部４０７を有している。
【００１７】
尾栓４０２を軸筒４０１に挿入する際、尾栓４０２の後端面と軸筒４０１の縮径部４１２の段４０８が突き当たる位置まで挿入される。この時、尾栓の外側変形肉部４０７は、軸筒４０１の内方突起４０５によって一部押し潰され、変形し、変形嵌合凹部４０９が形成される。尾栓４０２を径方向に回転させ、外側変形肉部４０７にＬ字型の変形嵌合凹部４０９を形成し、尾栓４０２の抜ける方向に対するアンダーカット部４１０が形成され、軸筒と尾栓の固定関係が形成される。
【００１８】
図１２及び図１３に更に他の一例を示す。前軸５０２と後軸５０１を接続してなる筆記具の軸筒の一例である。後軸５０１は、比較的硬質のアクリロニトリルスチレン樹脂の射出成形品からなり、先端部外壁に縮径部５１２を有し、この縮径部５１２に１個の外方突起５０５を有している。この外方突起５０５の後端部側は、拡径部分との間に形成される段５０８を有している。これに対して、前軸５０２は比較的軟質のポリプロピレン樹脂の射出成形品からなり、内孔５０３の後端部内壁には環状の内方顎部５０７を有し、後軸５０１の段部５０８に当接して嵌着の位置を規定する。
【００１９】
後軸５０１と前軸５０２とを接続する際、後軸５０１は、後軸５０１の段５０８と前軸５０２の後端面が突き当たる位置まで挿入される。この時、前軸５０２の環状の内方顎部５０７は、後軸５０１の外方突起５０５によって一部押し潰され、変形し、変改嵌合凹部５０９が形成される。続いて、後軸を径方向に回転させることにより、内方顎部にＬ字型の変形嵌合凹部５０９を形成し、前軸の抜ける方向に対するアンダーカット部５１０が形成され、前軸と後軸の固定関係が形成される。
【００２０】
【発明の効果】
本発明の筆記具用部材の嵌着構造は、硬度の異なる２種以上の部材を嵌着させるに当たって、複雑な組立作業となることなく確実な嵌着力を得ることができるものである。
【図面の簡単な説明】
【図１】一例を示す断面図。
【図２】図１のＩ部拡大図。
【図３】部材を示す断面図。
【図４】部材を示す外観図。
【図５】他の一例を示す断面図。
【図６】部材を示す断面図。
【図７】部材を示す断面図。
【図８】更に他の一例を示す断面図。
【図９】部材の組み立てを説明する断面図。
【図１０】更に他の一例を示す断面図。
【図１１】部材の組み立てを説明する断面図。
【図１２】更に他の一例を示す断面図。
【図１３】部材の組み立てを説明する断面図。
【符号の説明】
１  外キャップ
２  内キャップ
３  貫通孔
４  頭頂開口部
５  内方突起
６  クリップ
７  玉部
８  環状凸部
９  頭部
１０  外側変形肉部
１１  ペン先挿入口
１２  段
１３  変形嵌合凹部
１４  アンダーカット部
【図１】
0003893702.tif 000002
【図２】
0003893702.tif 000003
【図３】
0003893702.tif 000004
【図４】
0003893702.tif 000005
【図５】
0003893702.tif 000006
【図６】
0003893702.tif 000007
【図７】
0003893702.tif 000008
【図８】
0003893702.tif 000009
【図９】
0003893702.tif 000010
【図１０】
0003893702.tif 000011
【図１１】
0003893702.tif 000012
【図１２】
0003893702.tif 000013
【図１３】
0003893702.tif 000014